(57)【要約】【課題】暖房運転の安定時において温風が浮き上がる状態が発生した場合に、温風の床面への到達を確保し、快適性を向上する。【解決手段】熱交換器５と、室内空気を吸入するファン７と、ファン７を回転することにより発生する風を上下方向に変化させる上下羽根とを具備する室内ユニットを備えた空気調和装置であって、前記上下羽根は上下に２枚（１０、１１）設け、暖房運転の安定時に前記２枚の上下羽根の角度を変化させて温風を絞ることにより、温風の浮き上がり防止を回避する。【選択図】図２
2010151416.tif 000002
【特許請求の範囲】
【請求項１】
熱交換器と、室内空気を吸入するファンと、ファンを回転することにより発生する風を上下方向に変化させる上下羽根とを具備する室内ユニットを備えた空気調和装置であって、前記上下羽根は上下に複数枚設け、暖房運転の安定時に前記複数枚の上下羽根の角度を変化させることを特徴とする空気調和装置。
【発明の詳細な説明】
【技術分野】
【０００１】
本発明は暖房運転の安定時における温風の吹き上がりを防止し、部屋の床面付近の温度低下を防ぐ空気調和装置に関するものである。
【背景技術】
【０００２】
従来、この種の空気調和装置は、室内ユニットと室外ユニットで構成されたセパレート型空気調和装置の構成を持っている。
【０００３】
図３は、室内ユニット１と室外ユニット２で構成され圧縮機３で流体を循環させるセパレート型空気調和装置の模式図、図４はその室内ユニット１の模式図である。
【０００４】
この室内ユニット１内部には、空気をＡ方向の吸込パネル４付近から吸い込み、熱交換器５により吸い込んだ空気と熱交換器５中を流れる流体を熱交換し、この熱交換された空気を吹出口６からファン７によりＢ方向に排出される。そして吹出口６付近にはモータ９にてスイングする上下羽根８が取り付けられている。
【０００５】
また、従来から行われている空気調和装置の運転について、図４の室内ユニット１および室外ユニット２を用いて説明する。
【０００６】
暖房運転時に、室内ユニット１内部でＡ方向から吸い込まれた空気が熱交換器５中の流体で暖められＢ方向に吹き出される。さらに、暖められた温風は、吹き出し方向を設定あるいはスイングする上下羽根８によって部屋の隅々まで到達する。そして暖房運転時に、室内ユニット１が設置された部屋の空調が設定温度（リモコンなどより設定）に達すると、室外ユニット２の圧縮機３の運転が停止して、流体の循環が止まる。これは、いわゆるサーモオフ状態と呼ばれる（以下サーモオフと呼ぶ）。つまり暖房運転時において、部屋の温度が設定温度にまで達すれば圧縮機３が停止し、冷凍サイクル中の流体の循環が止まる。そして部屋の温度が設定温度より低下すれば、部屋を再度暖めるために圧縮機３が運転して流体が熱交換器５を循環する（以下サーモオンと呼ぶ）。空気調和装置は、リモコンの設定温度などにより部屋の温度をあわせるため、このような運転が繰り返されている（例えば、特許文献１参照）。
【特許文献１】特開２００２−２２８２３３号公報
【発明の開示】
【発明が解決しようとする課題】
【０００７】
しかしながら、前記従来の構成による空気調和装置の暖房運転時において、部屋が暖められてくる（部屋の温度が安定する）と、ファン７から吹き出された温風は、部屋の床面に届かずに浮き上がる（暖かい空気は部屋の上部にたまる）場合が発生する。つまり温風を吹き出しても、吹き出し温度が高く、床面にまで届かずに吹き上がる。この結果、部屋の上部に暖かい空気がたまり、部屋の床面付近の温度が低下することが発生する。このため、冬場に部屋にいる人は、足元（床面付近）に冷風感を感じることがあり、快適性が大きく低下するという課題を有していた。
【０００８】
本発明は、前記従来の課題を解決するもので、暖房運転において部屋の温度が安定した場合（すなわち、サーモオンやオフが発生した場合など）に、上下に変化する羽根２枚の羽根角度を変化させることにより、温風の流速を大きして、床面までの温風の到達を確保、つまり温風の浮き上がりを防止し、快適性を向上させることを目的とする。
【課題を解決するための手段】
【０００９】
前記従来の課題を解決するために、本発明は上下に変化する羽根を複数設け、これら各羽根の羽根角度を変化させる構成としてある。
【００１０】
これによって、暖房運転時に床面に届かずに浮き上がっていた温風が、床面に到達することを可能にして、快適性を向上させることが可能である。
【発明の効果】
【００１１】
本発明の空気調和装置は、室内ユニットに取り付けられた上下に変化する羽根により温風の流速を上げることができ、温風の吹き上がりを防止し、温風が部屋の床面に到達することにより床面付近の温度を上昇させて、快適性を向上させることができる。
【発明を実施するための最良の形態】
【００１２】
第１の発明は、熱交換器と、室内空気を吸入するファンと、ファンを回転することにより発生する風を上下方向に変化させる上下羽根とを具備する室内ユニットを備えた空気調和装置であって、前記上下羽根は上下に複数枚設け、暖房運転の安定時に前記複数枚の上下羽根の角度を変化させるとしたものである。
【００１３】
これによって、羽根を変化させて温風を絞って流速を大きくすることにより、温風の浮き上がりを防止して床面温度を上昇させることができる。
【００１４】
（実施の形態１）
図１は、本発明の第１の実施の形態における空気調和装置の室内ユニットを示すものである。風向を設定したりスイングする少なくとも２枚以上の羽根（この実施の形態では２枚の上下羽根（上羽根１０と下羽根１１））により構成されている点が従来の構成と異なる。
【００１５】
以上のような空気調和装置が設置された部屋の運転状態について、以下その動作、作用を説明する。
【００１６】
暖房運転時、室内ユニット１内部でＡ方向から吸い込まれた空気が熱交換器５で暖められてＢ方向に吹き出される。吹き出された温風は、上羽根１０と下羽根１１の羽根角度により部屋の隅々まで温風を到達させる。そしてこの部屋の空調が設定温度（リモコンなどにて設定）に達すると、サーモオフし、設定温度より低下するとサーモオンする。
【００１７】
ここで部屋の温度が安定している場合（暖房運転の安定時）、つまりサーモオン、オフを所定回数（Ｘ回）繰り返した場合などにおいて、吹き出された温風は、床面に到達する前に、温度が高い為に浮き上がる場合がある。これにより床面に温度が暖まらない傾向にある。
【００１８】
そこで、サーモオン、オフ回数が所定回数（Ｘ回）に達した場合、図２に示すように、羽根角度を図１に示す位置から上羽根１０はＣ方向に、下羽根１１はＤ方向に角度を変化させる制御部１２が設けてある。すると、羽根角度を通常位置から比較すると絞る方向になり、温風の流速を増加させることができる。その結果、室内ユニット１から吹出される温風は床面に届きやすくなる。これにより、温風の浮き上がりを防止して床面温度を上昇させることができる。さらにまた、室内ユニット１から吹出される温風の流速を大きくすることにより部屋の温度を攪拌させる効果もあるため、室内の温度が平均され、快適な室内環境を提供することができる。
【００１９】
また、流速を大きくするためにファン７の回転数を上昇させることも考えられる。そし
て、一定時間、上下羽根１０および１１の羽根角度を変化させた後、制御前の通常位置の上羽根１０と下羽根１１の位置にもどす。これより、さらに効果的に室内ユニットから吹出す温風の浮き上がりを防止して部屋の快適性を保つことができる。
【００２０】
また、上羽根１０は固定して下羽根１１を変化させて流速を大きくすることもできる。その逆に下羽根１１を固定して上羽根１０を変化させて流速を大きくする場合も同様である。この場合、上下羽根を駆動するモータ９の数を一つにすることが可能であり、安価に提供することができる。
【産業上の利用可能性】
【００２１】
以上のように、本発明にかかる空気調和装置は、温風の吹き上がりをなくし、部屋の温度を最適に保つことが可能となるため、各種空調機器等に適用できる。
【図面の簡単な説明】
【００２２】
【図１】本発明の実施の形態１における空気調和装置の模式図
【図２】同作用を説明するための模式図
【図３】従来の空気調和装置の模式図
【図４】従来の空気調和装置における室内ユニットの模式図
【符号の説明】
【００２３】
１  室内ユニット
２  室外ユニット
３  圧縮機
４  吸い込みパネル
５  熱交換器
６  吹出口
７  ファン
８  上下羽根
９  モータ
１０  上羽根
１１  下羽根
１２  制御部
Ａ  空気方向
Ｂ  吹き出し方向
Ｃ  上羽根の変化方向
Ｄ  下羽根の変化方向
Ｘ  サーモオフ回数
【図１】
2010151416.tif 000003
【図２】
2010151416.tif 000004
【図３】
2010151416.tif 000005
【図４】
2010151416.tif 000006